(57)【要約】【課題】接眼部の幅内で光束入射方向に短い距離で、コンパクトで操作性のよい双眼鏡を提供する。【解決手段】  双眼鏡（１０）は単一の対物光学系（１３）と双眼光学系（５９）とを有する双眼鏡である。対物光学系からの第１方向の光線（ＬＲ）を、垂直の第２方向に反射させる第１反射面（４１）と、該第１反射面での反射光を第１方向と第２方向とに対して垂直の第３方向に反射される第２反射面（４２）と、第２反射面での反射光を第２方向に反射させる第３反射面（４３）と、該第３反射面での反射光を第１方向に反射させる第４反射面（４４）とを有する導光光学系（４０）と、導光光学系からの光を双眼光学系に分割する光束分割光学系（５０）と、を備える。【選択図】  図２
2010032658.tif 000002
【特許請求の範囲】
【請求項１】
単一の対物光学系と双眼光学系とを有する双眼鏡において、
前記対物光学系からの光線を前記対物光学系の光軸方向である第１方向に対して垂直の第２方向に反射させる第１反射面と、該第１反射面での反射光を前記第１方向と前記第２方向とに対して垂直の第３方向に反射させる第２反射面と、該第２反射面での反射光を前記第２方向に反射させる第３反射面と、該第３反射面での反射光を前記第１方向に反射させる第４反射面と、を有する導光光学系と、
前記導光光学系からの光を前記双眼光学系に分割する光束分割光学系と、
を備えることを特徴とする双眼鏡。
【請求項２】
前記第１反射面または前記第４反射面のどちらか一方と、前記第２反射面と前記第３反射面のどちらか一方の反射面とが、直角ダハプリズムまたは直角ダハミラーの反射面であることを特徴とする請求項１に記載の双眼鏡。
【請求項３】
単一の対物光学系と双眼光学系とを有する双眼鏡において、
前記対物光学系からの光線を前記対物光学系の光軸方向である第１方向に対して垂直の第２方向に反射させる第１反射面と、該第１反射面での反射光を前記第１方向に反射される第２反射面と、該第２反射面での反射光を前記第２方向に反射させる第３反射面と、該第３反射面での反射光を前記第１方向に反射させる第４反射面と、を有する導光光学系と、
前記導光光学系からの光を前記双眼光学系に分割する光束分割光学系と、を備え、
前記対物光学系の光軸と前記第４反射面での反射光の光軸とが一致することを特徴とする双眼鏡。
【請求項４】
前記第３反射面と前記第４反射面との間に、リレーレンズが配置されていることを特徴とする請求項１から請求項３のいずれか一項に記載の双眼鏡。
【請求項５】
前記リレーレンズの倍率をβとしたとき、以下の条件式を満たすことを特徴とする請求項１から請求項４のいずれか一項に記載の双眼鏡。
β≦（１／２）×（ｆｅ／ｆｏ）×φｏ
なお、ｆｅは前記接眼光学系の焦点距離、ｆｏは前記対物光学系の焦点距離、φｏは前記対物光学系の瞳径を示す。
【請求項６】
前記第１反射面と前記第２反射面との間に、フィールドレンズが配置されていることを特徴とする請求項１から請求項５のいずれか一項に記載の双眼鏡。
【請求項７】
前記対物光学系は、前記双眼鏡のボディに着脱可能な交換レンズであり、
該交換レンズはズーム機能又は防振機能を有していることを特徴とする請求項１から請求項６のいずれか一項に記載の双眼鏡。
【発明の詳細な説明】
【技術分野】
【０００１】
本発明は、単一の対物レンズと双眼の接眼部とを有し被観察物を観察する双眼鏡に関する。
【背景技術】
【０００２】
従来の双眼鏡は左眼用光学系と右眼用光学系がそれぞれに対物レンズと正立プリズム及び接眼レンズよりなる独立した光学系を両眼の眼幅だけ離して構成される。従って左右の光学系の光軸が分離しているため被観察物を立体的に観察することができるという利点がある。しかし、例えば対物レンズをズーム光学系で構成した場合、ズーミングの際の左右の光学系の連動運動時の僅かな誤差が接眼レンズによって拡大されるため非常に高い精度が要求される。その結果、双眼鏡の重量が増加したり、価格も高価なものとなってしまったりする。また、特許文献１のように、手振れ防止機構を装備する場合にも左右同時に防振作用を作動させなければならないので左右の光学系の連動機構が非常に困難なものとなる。
【０００３】
また、カメラのファインダが両眼タイプの技術が特許文献２で開示されている。特許文献２で開示される両眼タイプのファインダはその全長はかなり長くなり操作性上好ましくない。特に特許文献２の図１に関してはフィールドレンズがなく、対物光学系による像がレチクル板が拡散面になっていないと、視野周辺の像のケラレが大きくなる可能性がある。また、特に特許文献２の図４に関しては、対物光学系のバックフォーカスがかなり長くしなければならず長い光路が長くなる問題がある。
【特許文献１】特開平１０−２０２１３号公報
【特許文献２】特開平０７−６４１５５号公報
【発明の開示】
【発明が解決しようとする課題】
【０００４】
解決しようとする問題点は、単一の対物レンズと双眼の接眼部とを有する双眼鏡に関して、接眼部の幅内で光束入射方向に短い距離で、コンパクトで操作性のよい双眼鏡を提供する点である。
【課題を解決するための手段】
【０００５】
第１の観点の双眼鏡は、単一の対物光学系と双眼光学系とを有する双眼鏡において、対物光学系からの光線を対物光学系の光軸方向である第１方向に対して垂直の第２方向に反射させる第１反射面と、該第１反射面での反射光を第１方向と第２方向とに対して垂直の第３方向に反射させる第２反射面と、該第２反射面での反射光を第２方向に反射させる第３反射面と、該第３反射面での反射光を第１方向に反射させる第４反射面と、を有する導光光学系と、導光光学系からの光を双眼光学系に分割する光束分割光学系と、を備える。
双眼鏡は単一の対物レンズと双眼の接眼部とを有している。対物レンズと双眼の接眼部との間に第１反射面から第４反射面からなる導光光学系が配置されることで、光路を折り曲げて双眼鏡の第１方向の距離を短くすることができる。特に第１方向と第２方向とに対して垂直の第３方向に反射させる第２反射面が双眼鏡の第１方向の距離を短くすることができる。そもそも双眼の接眼部は観察者の眼の幅の距離が必要である。その観察者の眼の間隔の範囲内で導光光学系が光路を折り曲げても、双眼鏡自体の幅方向の寸法が大きくなるわけでもない。したがって第１方向の距離が短くなった操作性のよい双眼鏡を提供することができる。
【０００６】
第２の観点の双眼鏡は、単一の対物光学系と双眼光学系とを有する双眼鏡において、対物光学系からの光線を対物光学系の光軸方向である第１方向に対して垂直の第２方向に反射させる第１反射面と、該第１反射面での反射光を第１方向に反射される第２反射面と、該第２反射面での反射光を第２方向に反射させる第３反射面と、該第３反射面での反射光を第１方向に反射させる第４反射面と、を有する導光光学系と、導光光学系からの光を双眼光学系に分割する光束分割光学系と、を備え、対物光学系の光軸と第４反射面での反射光の光軸とが一致する。
双眼鏡は単一の対物レンズと双眼の接眼部とを有している。対物レンズと双眼の接眼部との間に第１反射面から第４反射面からなる導光光学系が配置されることで、光路を折り曲げて双眼鏡の第１方向の距離を短くすることができる。特に対物光学系の光軸と第４反射面での反射光の光軸とが一致するので、コンパクトなサイズの双眼鏡を提供できる。
【発明の効果】
【０００７】
本発明は、単一の対物レンズを装着する双眼鏡において、その単一の対物レンズから双眼部に至る交換レンズの光軸方向の距離を短くすることができるため、操作性の良い双眼鏡を提供することができる。
【発明を実施するための最良の形態】
【０００８】
＜双眼鏡１０の外観構成＞
図１は本実施形態の双眼鏡１０の斜視図である。双眼鏡１０は双眼部１１と、ボディ部１２と、対物光学系である交換レンズ部１３とで構成されている。双眼部１１は両目で観察するために、左右の鏡筒が形成され、鏡筒はそれぞれ観察者の眼幅に調節することができる。ボディ部１２は単眼光路の光学系が形成されており、複数のミラー及びレンズで構成されている。またボディ部１２は各種の制御を行う制御部１４が設けられている。交換レンズ部１３はズームレンズ及び単焦点レンズなど使用目的に応じて仕様の異なるレンズを装着することができる。例えば交換レンズ部１３は、オートフォーカス（ＡＦ）機構や手ブレ防止（Vibration Reduction＝ＶＲ）機構などを搭載している。
【０００９】
ボディ部１２にはマウント部１６が形成されており、レンズ側のマウント部１６ａとボディ側のマウント部１６ｂとが結合することができる。マウント部１６は一眼レフカメラのマウント形状と同一にすることで、従来から製造されている一眼レフカメラの交換レンズを使用することができる。またそれぞれのマウント部１６には接点１７が形成されている。マウント部１６の接点１７はボディ部１２と交換レンズ部１３とが電気的に接続され、接続された交換レンズ部１３の情報の取得や、ボディ部１２からの電源供給及び演算処理結果の伝送に利用される。例えば、マウント部１６の接点１７は、ボディ部１２の制御部１４が演算した交換レンズ部１３に最適なオートフォーカス（ＡＦ）の移動量を交換レンズ部１３に伝える。交換レンズ部１３内のモータは供給される信号でフォーカスレンズの駆動を行う。
【００１０】
双眼鏡１０はボディ側マウント部１６ｂを一眼レフカメラのレンズ側マウント部１６ａに適合する形状にしている。このため観察者は、目的に応じて様々な一眼レフカメラの交換レンズ部１３をボディ部１２に装着することができる。一眼レフカメラの交換レンズはこれまで多数、また多種類の交換レンズが生産され、多くの観察者がいる。例えば、マクロ交換レンズ、手ブレ防止機構搭載交換レンズ、可変ズーム交換レンズまたは高倍率交換レンズなど多種類の交換レンズがある。このため観察者はボディ部１２を購入することで、高性能で高機能な一眼レフカメラの交換レンズをボディ部１２に装着して使用することができる。観察者は必要に応じて交換レンズの倍率及びレンズ径を変えることができ、使用目的に最適な双眼鏡１０をカスタマイズすることができる。例えば、マクロ交換レンズをボディ部１２に装着すると顕微鏡として用いることができ、標準から中望遠程度までのズーム交換レンズを使用すると風景などを観察する双眼鏡１０となり、レンズ径の大きな中長望遠の交換レンズを使用すると天体観測に適した双眼鏡となる。
【００１１】
＜ボディ部１２と交換レンズ部１３との構成＞
図２は、交換レンズ部１３をボディ部１２に装着した図であり、双眼鏡１０に入射する外光の光路ＬＲを示した図である。交換レンズ部１３は、第１レンズ群Ｌ１と、第２レンズ群Ｌ２と、第３レンズ群Ｌ３と、絞り部ＰＰとで構成され、第２レンズ群Ｌ２を駆動させるモータ、第３レンズ群Ｌ３を駆動させるモータなどを備えている。モータを駆動させることで、第２レンズ群Ｌ２は光軸方向（Ｚ軸方向）に移動し、交換レンズ部１３の焦点を合致させている。また、モータを駆動させることで、第３レンズ群Ｌ３は光軸と直交する方向（ＸＹ軸方向）に移動し手ブレを防止する。絞り部ＰＰは第２レンズ群Ｌ２と第３レンズ群Ｌ３との間に設置され、交換レンズ部１３を通過する光量の調節をしている。
【００１２】
制御部１４は使用目的に合わせて交換レンズの絞り部ＰＰの調整を行う。制御部１４は交換レンズ部１３からの入光量や被観察物の周囲の明るさに応じて絞り部ＰＰを調整するが、単に入光量だけでなく、被写界深度（ＤＯＦ）も変化させることになる。
【００１３】
図２において、交換レンズ部１３に入射した外光ＬＲは、第１レンズ群Ｌ１、第２レンズ群Ｌ２、絞り部ＰＰ、第３レンズ群Ｌ３の順に通過しボディ部１２に入射する。ボディ部１２内には、第１ミラー４１、第２ミラー４２、第３ミラー４３及び第４ミラー４４からなる導光光学系４０が配置される。導光光学系４０で複数回反射された外光ＬＲは、光束分割光学系５０に導かれる。光束分割光学系５０は、ハーフミラー５３、第５ミラー５４、第６ミラー５５及び第７ミラー５６から構成される。光束分割光学系５０は外光ＬＲを二分して、それぞれ双眼部１１の左右の鏡筒に入射して２箇所の接眼レンズ５９を通過する。以上のように双眼鏡１０は単眼の交換レンズ部１３を用いて両目で観察することができる。
【実施例１】
【００１４】
＜実施例１：ボディ部１２内のミラー配置＞
図３は、ボディ部１２内のミラー配置を示した実施例１である。
交換レンズ部１３からのボディ部１２内に入る外光ＬＲは、導光光学系４０を経由して光束分割光学系５０の２箇所の接眼レンズ５９に到達する。
【００１５】
図示しない被観察物は交換レンズ部１３により第一次像ＩＭ−Ａ（反転像）として形成される。そして、第一次像ＩＭ−Ａの近傍に置かれたフィールドレンズ４８が配置される。このフィールドレンズ４８及びリレーレンズ４９は、第一次像を第二次像ＩＭ−Ｂ（正立像）として再結像させる。最終的に被観察物の正立像は接眼レンズ５９を介して観察者によって観察される。フィールドレンズ４８は、双眼鏡１０（図２）の視野径を決める役割を有しており、交換レンズ部１３の光束を有効に利用できるよう交換レンズ部１３の射出瞳をリレーレンズ４９の近傍に作るためのものである。リレーレンズ４９は光路を延ばす役割を有している。
【００１６】
光束分割光学系５０は、ジーデントップ型と呼ばれる光学系で、ハーフミラー５３又はプリズムによって光軸ＯＡを分割する。フィールドレンズ４８及びリレーレンズ４９により、交換レンズ部１３による反転像（第一次像ＩＭ−Ａ）を正立像（第二次像ＩＭ−Ｂ）とするため、光束分割光学系５０では像の反転は行われない。
【００１７】
第一次像ＩＭ−Ａから第二次像ＩＭ−Ｂまでの距離は、リレーレンズ４９の倍率βと焦点距離によって決まる。双眼鏡１０（図２）のＺ軸方向の全長を短くするには第一次像ＩＭ−Ａから第二次像ＩＭ−ＢまでのＺ軸方向の距離を短くする必要がある。本実施例では交換レンズ部１３と光束分割光学系５０との間で像の正立を維持したまま光路を導光光学系４０で屈曲させることにより双眼鏡１０（図２）のＺ軸方向の全長を短くしている。図４を使って双眼鏡１０のＺ軸方向の全長が短くなることを説明する。
【００１８】
図４（ａ）及び（ｂ）は、実施例１の導光光学系４０を備える光路であり、交換レンズ部１３から光束分割光学系５０のハーフミラー５３までを描いた図である。図４（ａ）はそのＸＺ平面図であり（ｂ）はそのＸＹ平面図である。図４（ｃ）及び（ｄ）は、導光光学系４０がない場合の交換レンズ部１３から光束分割光学系５０のハーフミラー５３までを描いた図である。図４（ｃ）はそのＸＺ平面図であり（ｄ）はそのＸＹ平面図である。
【００１９】
図３及び図４に示されるように、まず、交換レンズ部１３をＺ軸方向から通過した外光ＬＲは、全反射ミラーである第１ミラー４１で反射してＸ軸方向に向きを変え、第２ミラー４２で反射されＹ軸方向に向きを変える。さらに外光ＬＲは、第３ミラー４３で反射してＸ軸方向に向きを変え、向きを変えた外光ＬＲは、第４ミラー４４で反射されＺ軸方向に向きを変える。第４ミラー４４で反射された外光ＬＲは、光束分割光学系５０に導かれる。なお、図４には図示されていないが、第１ミラー４１と第２ミラー４２との間にはフィールドレンズ４８が配置され、第３ミラー４３と第４ミラー４４との間にはリレーレンズ４９が配置されている。
【００２０】
図４に示されるように、第１ミラー４１から第２ミラー４２までの光路長をＬ１１、第２ミラー４２から第３ミラー４３までの光路長をＬ１２、第３ミラー４３から第４ミラー４４までの光路長をＬ１３とする。また、第４ミラー４４からハーフミラー５３まで光路長をＬ１５とする。図４（ａ）と図４（ｃ）とを比べると理解されるように、Ｚ軸方向に関して光路長Ｌ１１と光路長Ｌ１２と光路長Ｌ１３を合計した長さは実施例１の方が短くなる。
【００２１】
図３で示されるように、双眼部１１の左右の接眼レンズ５９の間隔Ｗ１は、観察者の眼の間隔（幅）とほぼ一致させなければならないので、双眼鏡１０はＸ軸方向に所定の長さが必要となる。間隔Ｗ１の範囲程度で光路長Ｌ１１と光路長Ｌ１３とを確保すれば、図１に示された双眼鏡１０のＸ軸方向の寸法がそれほど大きくなることもない。その一方、光路長Ｌ１１と光路長Ｌ１２と光路長Ｌ１３を合計したＺ軸方向の長さを短くすることができれば、双眼鏡１０の操作性が向上する。但し、光路長Ｌ１２を大きくすると交換レンズ部１３の光軸と光束分割光学系５０の光軸とが離れすぎて操作性を損なうため、光路長Ｌ１１と光路長Ｌ１３とを調整して全長の短縮を図ることが望ましい。なお、実施例１では、第１ミラー４１から第４ミラー４４までを全反射ミラーを用いたが、全反射プリズムを用いてもよいことは言うまでもない。
【００２２】
ここで、リレーレンズ４９の倍率βについて説明する。実施例１ではフィールドレンズ４８は視野径を決める役割を想定しているので倍率βにはほとんど関係ない。倍率βは、β＝（リレーレンズ４９から第二次像ＩＭ−Ｂまでの距離）÷（第一次像ＩＭ−Ａからリレーレンズ４９までの距離）で示される。
【００２３】
一般に、交換レンズ部１３とリレーレンズ４９とが使用される双眼鏡の射出瞳径（φｅ）は以下の式１で表される。ここでｆｏは交換レンズ部１３の焦点距離を、φｏは交換レンズ部１３の入射瞳径を、ｆｅは接眼レンズ５９の焦点距離を、βはリレーレンズ４９の倍率を表している。
φｅ＝φｏ・ｆｅ／（ｆｏ・β）    …（１）
【００２４】
双眼鏡１０の観察像の明るさは接眼レンズ５９の瞳径によって決定される。通常人間の瞳の大きさは明るいところでφ１．５ｍｍからφ２．０ｍｍ程度と言われている。双眼鏡の瞳径が人間の瞳径より小さい場合は裸眼で見た場合より暗くなり、これが極端になると非常に使いづらいものとなる。昼間に使用される測量用の望遠鏡では瞳径が１．５ｍｍのものでも視力の低下が少ないとして使用されていることから、φｅを１．５とすると、
１．５≦φｏ・ｆｅ／（ｆｏ・β）    …（２）
これをリレーレンズ４９の倍率βについて書き直すと、以下の条件式が得られる。
β≦２／３・φｏ・ｆｅ／ｆｏ      …（３）
【００２５】
なお、快適に使用するには瞳径を２ｍｍ以上として、
β≦１／２・φｏ・ｆｅ／ｆｏ      …（４）
とするのが望ましい。
【実施例２】
【００２６】
＜実施例２：ボディ部１２内のミラー配置＞
図５は、ボディ部１２内に直角ダハプリズムとミラーとを配置を示した実施例２である。
【００２７】
図５に示されるように、まず、交換レンズ部１３をＺ軸方向から通過した外光ＬＲは、全反射ミラーである第１ミラー４１で反射してＸ軸方向に向きを変え、フィールドレンズ４８に入射する。フィールドレンズ４８を通過した外光ＬＲは、第２直角ダハプリズム４２Ｐで反射されＹ軸方向に向きを変える。さらに外光ＬＲは、第３ミラー４３で反射してＸ軸方向に向きを変え、向きを変えた外光ＬＲは、リレーレンズ４９に入射する。フィールドレンズ４８を通過した外光ＬＲは、第４直角ダハプリズム４４Ｐで反射されＺ軸方向に向きを変える。第４直角ダハプリズム４４Ｐで反射された外光ＬＲは、光束分割光学系５０に導かれる。
【００２８】
実施例１と異なり、像の向きについては、第２直角ダハプリズム４２Ｐは像を左右反転させ、第４直角ダハプリズム４４Ｐを上下反転させている。これにより観察者は接眼レンズ５９を介して正立像を観察することができる。
【実施例３】
【００２９】
＜実施例３：ボディ部１２内のミラー配置＞
図６は、ボディ部１２内のミラーの配置を示した実施例３である。図７（ａ）及び（ｂ）は、実施例３の導光光学系４０を備える光路であり、交換レンズ部１３から光束分割光学系５０のハーフミラー５３までを描いた図である。図７（ａ）はそのＸＺ平面図であり（ｂ）はそのＸＹ平面図である。
【００３０】
図６及び図７に示されるように、交換レンズ部１３をＺ軸方向から通過した外光ＬＲは、全反射ミラーである第１ミラー４１で反射してＸ軸方向に向きを変え、第２Ｅミラー４２Ｅで反射されＺ軸方向に向きを変える。さらに外光ＬＲは、第３Ｅミラー４３Ｅで反射してＸ軸方向に向きを変え、向きを変えた外光ＬＲは、第４ミラー４４で反射されＺ軸方向に向きを変える。第４ミラー４４で反射された外光ＬＲは、光束分割光学系５０に導かれる。なお、図７には図示されていないが、第１ミラー４１と第２ミラー４２との間にはフィールドレンズ４８が配置され、第３ミラー４３と第４ミラー４４との間にはリレーレンズ４９が配置されている。
【００３１】
図７に示されるように、第１ミラー４１から第２Ｅミラー４２Ｅまでの光路長をＬ１１、第２Ｅミラー４２Ｅから第３Ｅミラー４３Ｅまでの光路長をＬ１２、第３Ｅミラー４３Ｅから第４ミラー４４までの光路長をＬ１３とする。また、第４ミラー４４からハーフミラー５３まで光路長をＬ１５とする。実施例３の図７（ａ）と実施例１の図４（ａ）とを比べると、図７（ａ）のＺ軸方向の長さが光路長Ｌ１２だけ長くなっている。その一方で、実施例３の図７（ｂ）と実施例１の図４（ｂ）とを比べると、実施例３では交換レンズ部１３の光軸とハーフミラー５３に入射する光軸とが一致していることが理解される。
【００３２】
図６で示したように、双眼部１１の左右の接眼レンズ５９の間隔Ｗ１は、観察者の眼の間隔とほぼ一致させなければならないので、双眼鏡１０はＸ軸方向に所定の長さが必要となる。間隔Ｗ１の範囲内で光路長Ｌ１１と光路長Ｌ１３とを確保すれば、図１に示された双眼鏡１０のＸ軸方向の寸法が大きくなることもない。その一方、光路長Ｌ１１と光路長Ｌ１３を合計したＺ軸方向の長さを短くすることができれば、双眼鏡１０の操作性が向上する。また、交換レンズ部１３の光軸と光束分割光学系５０の光軸とが一致するため操作性がすぐれている。
【産業上の利用可能性】
【００３３】
実施例１から実施例３では、リレーレンズが２つの場合を説明したが、リレーレンズが１つでも３以上を配置しても良い。双眼鏡１０に撮影機能を追加する場合には、第１ミラー４１をクイックリターンミラーとし、背後にＣＣＤなどの撮像素子を配置してもよい。また、第１ミラー４１をハーフミラーとし、背後にオートフォーカス用の光を取り込むＡＦ機能を設けても良い。ＡＦ機能は交換レンズ１３のオートフォーカス信号を得ることができる。
【図面の簡単な説明】
【００３４】
【図１】本実施形態の双眼鏡１０の斜視図である。
【図２】交換レンズ部１３をボディ部１２に装着した図である。
【図３】ボディ部１２内のミラー配置を示した実施例１である。
【図４】実施例１の導光光学系４０を備える光路であり、（ａ）はそのＸＺ平面図であり（ｂ）はそのＸＹ平面図である。
【図５】ボディ部１２内に直角ダハプリズムとミラーとを配置を示した実施例２である。
【図６】ボディ部１２内のミラーの配置を示した実施例３である。
【図７】実施例３の導光光学系４０を備える光路であり、（ａ）はそのＸＺ平面図であり（ｂ）はそのＸＹ平面図である。
【符号の説明】
【００３５】
１０  …  双眼鏡
１１  …  双眼部
１２  …  ボディ部
１３  …  交換レンズ部
１４  …  制御部
１６（１６ａ，１６ｂ）  …  マウント部
１７  …  接点
４０  …  導光光学系
４２Ｐ  …  第２直角ダハプリズム
４４Ｐ  …  第４直角ダハプリズム
４１，４２，４３，４４，５４，５５，５６  …  ミラー
４８  …  フィールドレンズ
４９  …  リレーレンズ
５０  …  光束分割光学系
５３  …  ハーフミラー
５９  …  接眼レンズ
ＯＡ  …  光軸
ＩＭ−Ａ  …  第一次像
ＩＭ−Ｂ  …  第二次像
Ｌ１１，Ｌ１２，Ｌ１３，Ｌ１５  …  光路長
Ｌ１，Ｌ２，Ｌ３  …  レンズ群
ＬＲ  …  外光
ＰＰ  …  絞り部
Ｗ１  …  間隔
【図１】
2010032658.tif 000003
【図２】
2010032658.tif 000004
【図３】
2010032658.tif 000005
【図４】
2010032658.tif 000006
【図５】
2010032658.tif 000007
【図６】
2010032658.tif 000008
【図７】
2010032658.tif 000009